(57)【要約】      （修正有）【課題】放射線の影響を軽減できる放射線遮蔽性の高い、硫酸バリウム粉体を利用した、安価で取扱い易く、薄型で環境に配慮された放射線遮蔽用ブロックを提供する。【解決手段】安価でリサイクル可能な放射線遮蔽性の高い硫酸バリウム粉体を紙袋に充填したものを強化ダンボールの箱に入れる。その箱を軟質ポリ塩化ビニルで覆い包み、密閉することによって放射線遮蔽ブロックを構成する。硫酸バリウム粉体を利用した放射線遮蔽ブロックは放射線遮蔽性が高く、コンパクトに整列して積み重ねることが可能であり、土嚢壁よりも格段に薄型な放射線遮蔽体として機能する。当該場所における除染廃棄物の一時保管が完了した場合には、放射線遮蔽ブロックは強化ダンボールと塩化ビニル部分を新しく交換することでリサイクルすることができ、他の場所の除染廃棄物の一時保管にも再利用できる。焼却処分が可能であり、他の用途に再利用が可能である。【選択図】図１
0003193028.tif 000002
【実用新案登録請求の範囲】
【請求項１】
箱内部に硫酸バリウム粉体を充填した強化ダンボール箱であって、湿気を通さないようにダンボール箱を密閉した、積み重ねおよび重ね合わせが可能な放射線遮蔽用ブロック。
【請求項２】
上記硫酸バリウム粉体を紙袋で密封して覆うことで、バリウム粉体と強化ダンボール箱の間に紙素材を挟み込んだ構造の請求項１に記載の放射線遮蔽用ブロック。
【請求項３】
ダンボール箱を黒色の軟質ポリ塩化ビニルによって覆うことで密閉した請求項１に記載の放射線遮蔽用ブロック。
【請求項４】
ダンボール箱を黒色の軟質ポリ塩化ビニルによって覆うことで密閉した請求項２に記載の放射線遮蔽用ブロック。
【考案の詳細な説明】
【技術分野】
【０００１】
本考案は、屋外でも利用できる積み重ねおよび重ね合わせすることによりサイズ調整が可能なブロック形状の放射線遮蔽体に関する。
【背景技術】
【０００２】
例えば、一般個人住宅の除染作業が行われた際に、最終処分前の中間貯蔵施設で保管されるまでの間、除染廃棄物は仮置き場や除染現場で3年程度に渡って一時的に保管される。その間、除染廃棄物から周辺に放出される放射線を生活安全基準内の線量に低減させるために、除染廃棄物の周囲を放射線遮蔽体で囲むことによって、放射線を遮蔽する必要がある。
【０００３】
現在、一般個人住宅の除染作業によって生じた除染廃棄物から放出される放射線量を、その１割以下に低減させて生活安全基準値を満たすようにするために、山砂を積めた土嚢を積み重ねた厚さ約３０ｃｍの放射線遮蔽壁を構築して放射線遮蔽を行っている。
【考案の開示】
【考案が解決しようとする課題】
【０００４】
しかしながら、狭小な一般個人住宅においては、土嚢による大きな遮蔽壁を設けるためのスペースがないという物理的制約とともに、直方体形状ではない土嚢による遮蔽壁を構築し、その期間メンテナンスしていくことは容易ではないという問題がある。
また、土嚢は耐久性が高くないため数ヶ月程度しか遮蔽壁の形状を維持することができず、一時保管期間の目安である3年程度を経過する前に崩落してしまう問題がある。同様の効果を得るために遮蔽壁としてコンクリートブロックを用いた場合は、一時保管完了後のコンクリートブロックの廃棄処分には多大な費用を要し、環境に対する悪影響の問題がある。
【０００５】
本考案はこのような問題を解決して、狭小な一般個人住宅においても設置可能な、構築メンテナンスが容易な、薄型かつ放射線遮蔽力の高い遮蔽壁を提供すること、および、リサイクル可能であり環境問題に配慮した遮蔽壁を提供することを、その課題とする。
【課題を解決するための手段】
【０００６】
上記課題を解決するために、本考案においては、次のような技術的手段を講じている。すなわち、請求項１に記載の考案によれば、箱内部に硫酸バリウム粉体を充填した強化ダンボール箱であって、湿気を通さないようにダンボール箱を密閉した、積み重ねおよび重ね合わせが可能な放射線遮蔽用ブロックが提供される。
【０００７】
請求項２に記載の放射線遮蔽用ブロックは、請求項１に記載の考案に加えて、硫酸バリウム粉体を一旦ダンボール箱と同形状の紙袋によって密封した上で、さらに強化ダンボール箱に詰めることによって二重構造とする。
【０００８】
請求項３に記載の放射線遮蔽用ブロックは、請求項１に記載の考案に加えて、ダンボール箱を黒色の軟質ポリ塩化ビニルによって覆うことで密閉する。
【０００９】
請求項４に記載の放射線遮蔽用ブロックは、請求項２に記載の考案に加えて、ダンボール箱を黒色の軟質ポリ塩化ビニルによって覆うことで密閉する。
【考案の効果】
【００１０】
請求項１に記載の考案にかかる放射線遮蔽用ブロックは上記の通りであり、放射線を１割以下に遮蔽するために土嚢による遮蔽壁では３０ｃｍの厚みが必要であったのに対し、１０ｃｍの厚みで同等の放射線遮蔽効果を得ることができる。
また、直方体形状により、積み重ねおよび重ね合わせが容易であり、必要な放射線遮蔽効果に合わせて、必要なサイズの遮蔽壁を構築することができる。
また、安価で取扱い易く、簡単な構造でありながら、仮置き場や除染現場における除染廃棄物の一時保管が可能な耐久性を有することができる。
【００１１】
請求項２に記載の放射線遮蔽用ブロックは上記の通りであり、請求項１の放射線遮蔽用ブロックの有する効果に加え、ダンボール箱が劣化した場合にダンボール箱を容易に交換できるので、紙袋で密封された硫酸バリウム粉体はそのまま流用してリサイクル可能であり、他の場所の除染廃棄物の一時保管に再利用することができる。
また、紙袋で密封された硫酸バリウム粉体はインターロッキングブロックや防振防音材等の他の用途にも再利用がすることができる。
【００１２】
請求項３に記載の放射線遮蔽用ブロックは上記の通りであり、請求項１の梱包用ダンボール箱の有する効果に加え、黒色の軟質ポリ塩化ビニルの太陽光、風雨、温度変化に対する優れた耐候性によって、内部のダンボール箱構成物を保護し、屋外で使用することができる。
【００１３】
請求項４に記載の放射線遮蔽用ブロックは上記の通りであり、請求項２の梱包用ダンボール箱の有する効果に加え、黒色の軟質ポリ塩化ビニルの太陽光、風雨、温度変化に対する優れた耐候性によって、内部のダンボール箱構成物を保護し、屋外で使用することができる。
【考案を実施するための最良の形態】
【００１４】
図２に示されるように、除染廃棄物が封入された指定専用容器ミッペールを本考案の放射線遮蔽用ブロックによって構築された放射線遮蔽体とコンクリートパネルと荷締めベルトを用いて固定することによって、荷崩れすることなく安定的に除染廃棄物の一時保管を行う。
【図面の簡単な説明】
【００１５】
【図１】本考案にかかる放射線遮蔽ブロックの構造を示す断面図である。
【図２】上記ブロックによって構成される放射線遮蔽体を除染廃棄物に設置した実施形態における断面図である。
【図３】図２の実施形態における斜視図である。
【符号の説明】
【００１６】
A           本考案にかかる放射線遮蔽ブロック
B           Aによって構成される放射線遮蔽体
１          硫酸バリウム
２          紙袋
３          強化ダンボール
４          軟質ポリ塩化ビニル
５          除染廃棄物が封入されたミッペール
６          コンクリートパネル
７          荷締めベルト    
８          住宅壁面
【図１】
0003193028.tif 000003
【図２】
0003193028.tif 000004
【図３】
0003193028.tif 000005